(57)【要約】【課題】操作部の操作方向を異なる２方向にして操作部の操作を行い易いようにしたスイッチ装置を提供する。【解決手段】操作部２０と、この操作部２０の操作によりオン・オフするスイッチ１３，１４とを備えたスイッチ装置であって、操作部２０を所定方向とこの所定方向と直交する直交方向とに変位可能に設け、この操作部２０を所定方向に変位させた際にスイッチ１３をオンさせ、操作部２０を直交方向に変位させた際にスイッチ１４をオンさせる。【選択図】図２
2007305450.tif 000002
【特許請求の範囲】
【請求項１】
操作部と、この操作部の操作によりオン・オフするスイッチとを備えたスイッチ装置であって、
前記操作部を所定方向とこの所定方向と直交する直交方向とに変位可能に設け、
この操作部を所定方向に変位させた際と、直交方向に変位させた際に前記スイッチをオン・オフさせることを特徴とするスイッチ装置。
【請求項２】
操作部と、この操作部の操作によりオン・オフする第１，第２スイッチとを備えたスイッチ装置であって、
前記操作部を所定方向にスライド移動可能に且つこのスライド移動方向を中心軸にして回動可能に設け、
この操作部をスライド移動させた際に第１スイッチをオン・オフさせ、その操作部を回動移動させた際に第２スイッチをオン・オフさせることを特徴とするスイッチ装置。
【発明の詳細な説明】
【技術分野】
【０００１】
この発明は、例えば車両のコンビネーションメータのケースの側部に設けられるスイッチ装置に関する。
【背景技術】
【０００２】
従来、車両のインストルメントパネルにはコンビネーションメータが設けられている（特許文献１参照）。
【０００３】
かかるコンビネーションメータは速度計とタコメータと燃料残量計等とを備えている。
【０００４】
そして、コンビネーションメータのケースの右側面には、コンビネーションメータの照明の照度を調整する照度アップスイッチと照度ダウンスイッチ等を設けたものが提案されている。
【０００５】
このような照度アップスイッチや照度ダウンスイッチ等は、操作部の正面に照度アップや照度ダウンを示すマークが付されており、この操作部を横から左方向へ押すことにより、照度アップや照度ダウンが行われていくようになっている。
【特許文献１】特開平１１−２５５０６７号公報
【発明の開示】
【発明が解決しようとする課題】
【０００６】
このように、操作部の正面に照度アップや照度ダウンを示すマークが付されているが、その操作部の操作方向は横方向であるため、その操作部の操作が行いにくいという問題があった。
【０００７】
この発明の目的は、操作部の操作方向を異なる２方向にして操作部の操作を行い易いようにしたスイッチ装置を提供することにある。
【課題を解決するための手段】
【０００８】
この発明は、操作部と、この操作部の操作によりオン・オフするスイッチとを備えたスイッチ装置であって、
前記操作部を所定方向とこの所定方向と直交する直交方向とに変位可能に設け、
この操作部を所定方向に変位させた際と、直交方向に変位させた際に前記スイッチをオン・オフさせることを特徴とする。
【発明の効果】
【０００９】
この発明によれば、異なる２方向から操作部を操作することができるので、その操作部の操作はし易いものとなる。
【発明を実施するための最良の形態】
【００１０】
以下、この発明に係るスイッチ装置の実施の形態である実施例を図面に基づいて説明する。
【実施例】
【００１１】
［第１実施例］
図１は車両のインストルメントパネル（図示せず）に設けられたコンビネーションメータ１を示すものであり、このコンビネーションメータ１は、スピードメータ２とタコメータ３と燃料計４と水温計５等とを有している。
【００１２】
このコンビネーションメータ１のケース６の右側部には、コンビネーションメータ１の照明の照度を調整する照度アップスイッチ装置１０と照度ダウンスイッチ３０とが設けられている。また、そのケース６の左側部には、各モードを切り替えていくモード切替スイッチ装置５０と、エンジン回転数の設定を行うセッティングスイッチ装置６０とが設けられている。
【００１３】
照度アップスイッチ装置１０は、図２に示すように、ケース６に取り付けられる起立したベース板１１と、このベース板１１の右側面１１ａに取り付けた基板１２と、この基板１２に設けたスイッチ１３，１４と、操作部２０等とから構成されている。
【００１４】
スイッチ１３は、前方に押すことにより接点（図示せず）をオンさせる操作ボタン１３ａを有してる。このスイッチ１３はオンされるごとに照明の照度を上げていくものである。
【００１５】
スイッチ１４は、横方向（図１において左方向）へ押すことにより接点（図示せず）をオンさせる操作ボタン１４ａを有してる。スイッチ１４はオンされるごとに照明の照度を上げていくものである。
【００１６】
ベース板１１には、図３に示すように、前後方向（図３において左右方向）に延びたガイド部材１５，１６が設けられており、このガイド部材１５，１６には断面が円形のガイド溝１５Ｇ，１６Ｇが長手方向に沿って形成されている。
【００１７】
操作部２０は、一側面（図５において左側面）が開口された筐体状に形成されたケース体２１から構成されており、このケース体２１の前面２１ａには照度アップを示すマークＭ１が付されている。また、ケース体２１内には、図４に示すように、スイッチ１３の操作ボタン１３ａに当接する突起２２と、スイッチ１４の操作ボタン１４ａに当接する突起２３と、先端部の断面が円形に形成された係合部２４Ａ，２５Ａ（図５参照）を有する係合突起２４，２５とが形成されている。
【００１８】
突起２２はケース体２１の前壁部２１Ａに形成され、突起２３および係合突起２４，２５はケース体２１の側壁部２１Ｂに形成されている。
【００１９】
係合突起２４，２５の係合部２４Ａ，２５Ａは、図５に示すように、ガイド部材１５，１６のガイド溝１５Ｇ，１６Ｇに係合され、係合部２４Ａ，２５Ａはガイド溝１５Ｇ，１６Ｇに沿って移動可能になっているとともに係合部２４Ａ，２５Ａの中心回りに回動可能となっている。すなわち、ケース体２１は前後に移動（変位）可能となっており、且つ、係合突起２４，２５の係合部２４Ａ，２５Ａを中心にして反時計回り（図５において）に回動可能となっている。
【００２０】
すなわち、ケース体２１は前後方向と直交する方向にも変位可能となっている。
【００２１】
また、ケース体２１の突起２２が図６に示すようにスイッチ１３の操作ボタン１３ａに当接し、ケース体２１の突起２３がスイッチ１４の操作ボタン１４ａに当接している。
【００２２】
そして、操作部２０の前面２１ａを押すと（前方へ押すと）、操作部２０すなわちケース体２１が前方に移動して、ケース体２１の突起２２がスイッチ１３の操作ボタン１３ａを押す。これによりスイッチ１３がオンする。操作部２０の前面２１ａから指を離せば、操作ボタン１３ａの復帰力によりケース体２１が元の位置へ戻り、スイッチ１３はオフする。
【００２３】
また、操作部２０の側壁部２１Ｂを図１において左方向へ押せば、ケース体２１が係合突起２４，２５の係合部２４Ａ，２５Ａを中心にして反時計回り（図５において）に回動し、ケース体２１の突起２３がスイッチ１４の操作ボタン１４ａを押す。これによりスイッチ１４がオンする。操作部２０の側面２１Ｂから指を離せば、操作ボタン１４ａの復帰力によりケース体２１が元の位置へ戻り、スイッチ１４はオフする。
【００２４】
このように、操作部２０の前面２１ａを押せばスイッチ１３がオンし、操作部２０の側面２１Ｂを押せばスイッチ１４がオンすることになる。すなわち、操作部２０を前方に押しても、また前方方向と直交する方向に押してもスイッチがオンするので、操作部２０の操作は行い易いものとなる。
【００２５】
照度ダウンスイッチ装置３０は、照度アップスイッチ装置１０と同様に、ベース板１１と（図２参照）、このベース板１１に取り付けた基板１２と、この基板１２に設けたスイッチ３１，３２と、操作部４０等とから構成され、ベース板１１にはガイド部材３３，３４が設けられており、このガイド部材３３，３４には断面が円形のガイド溝３３Ｇ，３４Ｇが形成されている。
【００２６】
操作部４０は、操作部２０と同様にケース体４１から構成されており、このケース体４１の前面４１ａには照度ダウンを示すマークＭ２が付されている。また、ケース体２１内には、図５に示すように、操作部２０と同様にスイッチ３１，３２の操作ボタン３１ａ，３２ａに当接する突起４２（図示せず），４３と、断面が円形の係合部４４Ａ（図示せず），４５Ａ（図５参照）を有する係合突起４４（図示せず），４５とが形成されている。
【００２７】
そして、係合突起４４，４５の係合部４４Ａ，４５Ａは、図５に示すように、ガイド部材３３，３４のガイド溝３３Ｇ，３４Ｇに係合され、係合部４４Ａ，４５Ａはガイド溝３３Ｇ，３４Ｇに沿って移動可能になっているとともに係合部４４Ａ，４５Ａの中心回りに回動可能となっている。すなわち、ケース体４１は前後に移動可能となっており、且つ、係合突起４４，４５の係合部４４Ａ，４５Ａを中心にして時計回り（図５において）に回動可能となっている。
【００２８】
また、ケース体４１の突起４２（図示せず）がスイッチ３１（図１参照）の操作ボタン３１ａに当接し、図５に示すようにケース体４１の突起４３がスイッチ３２の操作ボタン３２ａに当接している。
【００２９】
そして、操作部４０の前面４１ａを押すと（前方へ押すと）、ケース体４１が前方に移動して、ケース体４１の突起４２（図示せず）がスイッチ３１（図１参照）の操作ボタン３１ａを押す。これによりスイッチ３１がオンする。操作部４０の前面４１ａから指を離せば、操作ボタン３１ａの復帰力によりケース体４１が元の位置へ戻り、スイッチ３１はオフする。
【００３０】
また、操作部４０の側壁部４１Ｂを図１において左方向へ押せば、図５に示すケース体４１が係合突起４４（図示せず），４５の係合部４４Ａ（図示せず），４５Ａを中心にして時計回り（図５において）に回動し、ケース体４１の突起４３がスイッチ３２の操作ボタン３２ａを押す。これによりスイッチ３２がオンする。操作部４０の側壁部４１Ｂから指を離せば、操作ボタン３２ａの復帰力によりケース体４１が元の位置へ戻り、スイッチ３２はオフする。
【００３１】
このように、操作部４０の前面４１ａを押せばスイッチ３１がオンし、操作部４０の側壁部４１Ｂを押せばスイッチ３２がオンする。すなわち、操作部４０を前方に押しても、また前方方向と直交する方向に押してもスイッチがオンするので、操作部４０の操作は行い易いものとなる。
【００３２】
モード切替スイッチ装置５０およびセッティングスイッチ装置６０は照度アップスイッチ装置１０および照度ダウンスイッチ３０と同じ構成なのでその説明は省略する。
［第２実施例］
図７は第２実施例の照度アップスイッチ装置１００を示したものである。この照度アップスイッチ装置１００は、操作部１０１に前後方向（図７において左右方向）に延びる長孔１０２を形成し、この長孔１０２に沿って相対的に移動可能な軸１０３をその長孔１０２に挿入し、この軸１０３回りに操作部１０１を回動できるようにしたものである。軸１０３はベース板１１に設けられている。
【００３３】
そして、操作部１０１にスイッチ１３，１４の操作ボタン１３ａ，１４ａに当接する当接部１０５，１０６を設け、操作部１０１の前面１０１ａを押せばスイッチ１３がオンし、操作部１０１の側面１０１Ｂを押せばスイッチ１４がオンするようにしたものである。
【００３４】
この第２実施例によれば、第１実施例のガイド部材３３，３４や係合突起２４，２５が不要となるので、構造が簡単なものとなる。
【００３５】
照度アップスイッチ装置１００の構成を照度ダウンスイッチ３０やモード切替スイッチ装置５０やセッティングスイッチ装置６０に適用してもよい。
［第３実施例］
図８は第３実施例の照度アップスイッチ装置２００を示したものである。この照度アップスイッチ装置２００は、操作部２０１に突起２０２を設け、この突起２０２に第１当接面２０２ａとこの第１当接面２０２ａよりスイッチ１４側へ近づいた第２当接面２０２ｂを設け、この第１当接面２０２ａと第２当接面２０２ｂとの間に傾斜面２０２ｃを設けたものである。他は第１実施例と同様な構成となっており、操作部２０１の前面２０１ａを押せば傾斜面２０２ｃに案内されて第２当接面２０２ｂがスイッチ１４の操作ボタン１４ａを押すようになっている。また、操作部２０１の側面２０１Ｂを押せば操作部２０１が第１実施例の操作部２０と同様に回動して第１当接面２０２ａがスイッチ１４の操作ボタン１４ａを押すようになっている。
【００３６】
この第３実施例によれば、１つのスイッチ１４でよいことになる。また、この照度アップスイッチ装置２００の構成を照度ダウンスイッチ３０やモード切替スイッチ装置５０やセッティングスイッチ装置６０に適用してもよい。
【００３７】
この発明は、上記のスイッチ装置１０，３０，５０，６０に限らず、他のスイッチに適用してもよく、また、上記実施例に限定されるものではなく、発明の要旨を逸脱しない程度の設計変更は、この発明に含まれるものである。
【図面の簡単な説明】
【００３８】
【図１】この発明に係るコンビネーションメータを示した正面図である。
【図２】図１のコンビネーションメータに設けた照度アップスイッチ装置と照度ダウンスイッチ装置の構成を示した分解斜視図である。
【図３】図２に示す照度アップスイッチ装置および照度ダウンスイッチ装置のベース板に取り付けられているガイド部材とスイッチを示した側面図である。
【図４】図２に示すケース体の内部を示した説明図である。
【図５】照度アップスイッチ装置と照度ダウンスイッチ装置の構成を示した横断面図である。
【図６】照度アップスイッチ装置の構成を示した縦断面図である。
【図７】第２実施例の照度アップスイッチ装置の構成を示した説明図である。
【図８】第３実施例の照度アップスイッチ装置の構成を示した説明図である。
【符号の説明】
【００３９】
１０        照度アップスイッチ装置
１３        スイッチ
１４        スイッチ
１５        ガイド部材
１５Ｇ      ガイド溝
１６        ガイド部材
１６Ｇ      ガイド溝
２０        操作部
【図１】
2007305450.tif 000003
【図２】
2007305450.tif 000004
【図３】
2007305450.tif 000005
【図４】
2007305450.tif 000006
【図５】
2007305450.tif 000007
【図６】
2007305450.tif 000008
【図７】
2007305450.tif 000009
【図８】
2007305450.tif 000010